(57)【要約】【課題】矢をつがえて引き絞る際にレスト上の矢の左右の位置決めをなし、シューティング時には、瞬時に、飛び出す矢に対して矢の後部や矢羽根等の接触による影響を与えない状態にできるアーチェリーの矢保持装置を提供する。【解決手段】ハンドル１に固定される本体部１１に有する支持軸部１４に、先端部１６ａがレスト６上の矢ａの側面との当接位置に延びる板状の当接部材１６を取設して揺動可能に支持し、当接部材１６を矢側面から離反させる方向に付勢する第１のバネ手段２０と、支持軸部１４に有する係止部材１８の係止爪２２に係止することでバネ手段２０に抗して先端部１６ａを矢側面との当接位置に保持するトリガー部材２４を設け、シューティング時の衝撃により、係止爪２２に対するトリガー部材２４の係止を解除し、当接部材１６を矢ａに対する当接位置から離反させるようにする。【選択図】図３
2008020178.tif 000002
【特許請求の範囲】
【請求項１】
アーチェリーのハンドルにおけるグリップ部の上でレストにより支承される矢の左右方向の位置決めをする矢保持装置であって、
前記ハンドルに固定される本体部と、該本体部に有する支持軸部に取設されて、先端部がレスト上の矢の側面との当接位置まで延び、かつ該当接位置からハンドル側へ揺動可能に支持された板状の当接部材と、前記当接部材に対して前記先端部を矢の側面から離反させる方向に付勢する第１のバネ手段と、前記支持軸部の一部に有する係止爪に係止することにより前記第１のバネ手段の付勢力に抗して前記当接部材の先端部を前記矢の側面との当接位置に保持するトリガー部材とを備え、シューティング時の衝撃により、前記係止爪に対する前記トリガー部材の係止を解除するように構成されてなることを特徴とするアーチェリーにおける矢保持装置。
【請求項２】
前記支持軸部は前記ハンドル後方において軸心が上下方向をなすように前記本体部に貫設されており、前記当接部材は、前記支持軸部に取着され、先端部が前方の前記レスト上に延びて揺動可能に支持されている請求項１に記載のアーチェリーにおける矢保持装置。
【請求項３】
前記支持軸部は、前記本体部に上下方向に設けられた軸本体に、外周一部に係止爪を有する係止部材が取付固定されてなり、前記第１のバネ手段が前記係止部材に連結されて設けられ、また、前記トリガー部材は、前記係止部材の係止爪に対し係止可能な爪部を有し、該爪部が前記係止爪に係止することにより、前記第１のバネ手段による付勢力に抗して前記当接部材の先端部を前記矢の側面との当接位置に保持し、かつシューティング時の衝撃により前記係止爪に対する前記爪部の係止を解除するように設けられてなる請求項２に記載のアーチェリーにおける矢保持装置。
【請求項４】
前記トリガー部材は、前記本体部の上部に回動可能に軸支されるとともに、該軸支部と前記爪部とは反対の端部との間に第２のバネ手段が掛け渡され、該第２のバネ手段の弾性力で前記係止爪に対する係止位置付近に弾力的に保持されるように構成されてなる請求項３に記載のアーチェリーにおける矢保持装置。
【請求項５】
前記本体部は、前記ハンドルに対し固定される取付部と、該取付部に対し連結固定される支持部からなり、前記支持部に前記支持軸部と前記トリガー部材とが設けられており、前記支持部が取付部に対し左右方向に位置調整可能に連結固定され、該支持部の位置調整により前記当接部材の先端部のレスト上の矢の側面に対する当接位置を調整できるように設けられてなる請求項１〜４のいずれか１項に記載のアーチェリーにおける矢保持装置。
【請求項６】
前記本体部に有する支持軸部には、前記本体部に上下方向に貫設された軸本体の下部に、該軸本体に対し回動自在な第１の取付部材と、該軸本体に固定された第２の取付部材とが取着され、前記第１の取付部材に前記当接部材が取付けられて支持されており、該第１の取付部材が前記第２の取付部材に備える調整ネジ手段により該第２の取付部材との相対位置が調整可能に設けられ、前記調整ネジ手段による前記相対位置の調整により、前記当接部材の先端部の前記矢側面に対する当接位置を微調整できるように設けられてなることを特徴とする請求項１〜４のいずれか１項に記載の矢保持装置。
【請求項７】
前記調整ネジ手段が、前記第１の取付部材に付設された受板部に対し弾力的に当接して前記当接部材が前記矢の側面から離反する方向の前記第１の取付部材の回動を規制するクッションプランジャーよりなる請求項６に記載の矢保持装置。
【発明の詳細な説明】
【技術分野】
【０００１】
本発明は、アーチェリーにおいて、レスト上の矢の水平位置を調整し位置決めするための矢保持装置に関するものである。
【背景技術】
【０００２】
アーチェリーＡは、図１１のように、ハンドル１と、その上下に連接されるリム２、３と、上下のリム２、３間に掛け渡されるストリング（弦）４とからなる。前記ハンドル１の中央部のグリップ部５の上には、図１１及び図１２のように、矢ａを受ける矢台としてのレスト（例えばフリッパー式レスト）６と、このレスト６の位置に合わせて該レスト６上の矢ａの側面に当接することで、レスト上の矢ａの左右方向の位置を調整して位置決めする矢保持装置としてのクッションプランジャー５０が設けられている。
【０００３】
前記クッションプランジャー５０は、特許文献１や特許文献２にも開示されているように、ハンドル１を一側面から他側面に横方向に貫通して設けられ、前記レスト６上の矢ａの側面に当接する先端部５１が、ハンドル１の雌ねじ部７に螺合された本体部５２に内蔵するスプリング５３により弾力的に出没自在に構成されており、矢ａのシューティング時に、飛び出そうとする矢ａから受ける圧力によりスプリング５３の付勢力に抗して没入することで、矢ａの振動や蛇行を吸収して矢ａの飛行方向を規制するものである。前記先端部５１のハンドル１の側面からの突出寸法は、ハンドルに対する前記本体部５２の螺合位置により調整でき、また、前記スプリング５３の強さはスプリング５３を受けるねじ５４により調整できるようになっている。
【０００４】
しかしながら、前記従来のクッションプランジャー５０は、その先端部５１がシューティング時の矢ａの進行方向に対して直角方向に突出して、且つ矢ａから受ける圧力でスプリングの付勢力（バネ力）に抗して没入するものであるため、矢ａの後部及び矢羽根ｂの部分が通過する際に矢ａの後部や矢羽根ｂの部分が前記先端部５１に当接し、その結果、矢ａの飛行方向が変化し、直進性を悪化させる虞があった。特に、アーチェリー競技では、矢の後部や矢羽根部分がクッションプランジャーの先端部に接触することによる飛行方向の微妙な変化も、的中率に大きく影響することになるため、前記の接触による問題を生じさせないようにすることが望まれている。
【特許文献１】特公昭６３−４２１９８号公報
【特許文献２】特開平９−２７３８９４号公報
【発明の開示】
【発明が解決しようとする課題】
【０００５】
本発明は、上記に鑑みてなしたものであり、アーチェリーにおける従来のクッションプランジャーに変わるものとして、レストにより支承する矢の左右方向の位置決めを確実になすことができ、しかも、シューティング時には、瞬時に、飛び出していく矢に対して矢の後部や矢羽根等の接触による影響を与えない状態にできるアーチェリーにおける矢保持装置を提供するものである。
【課題を解決するための手段】
【０００６】
上記の課題を解決する本発明のアーチェリーにおける矢保持装置は、アーチェリーのハンドルにおけるグリップ部の上でレストにより支承される矢の左右方向の位置決めをする矢保持装置であって、前記ハンドルに固定される本体部と、該本体部に有する支持軸部に取設されて、先端部がレスト上の矢の側面との当接位置まで延び、かつ該当接位置からハンドル側へ揺動可能に支持された板状の当接部材と、前記当接部材に対して前記先端部を矢の側面から離反させる方向に付勢する第１のバネ手段と、前記支持軸部の一部に有する係止爪に係止することにより前記第１のバネ手段の付勢力に抗して前記当接部材の先端部を前記矢の側面との当接位置に保持するトリガー部材とを備え、シューティング時の衝撃により、前記係止爪に対する前記トリガー部材の係止を解除するように構成されてなることを特徴とする。
【０００７】
この矢保持装置によれば、矢をつがえる前に、前記トリガー部材を前記支持軸部の一部に有する係止爪に係止させて、前記第１のバネ手段の付勢力に抗して前記当接部材の先端部を前記レスト上に置かれる矢の側面に当接する位置に保持させておく。こうして、前記レスト上の矢の側面を前記当接部材の先端部に当接させることにより、該矢の左右方向の位置決めをすることができる。
【０００８】
そして、矢のシューティング時には、引き絞られたストリングが元の状態に復帰するのと同時に、その衝撃により、前記トリガー部材の前記係止爪に対する係止が解除され、瞬時に、前記当接部材が前記第１のバネ手段の付勢力により前記矢の側面に当接する位置からハンドル側に離反する。そのため、従来のクッションプランジャーとは異なり、矢の後部や矢羽根の部分が前記当接部材に対し前記第１のバネ手段の付勢力に抗して押圧するように接触することがなく、またそのため矢の飛び出しに対して不要な抵抗を与えることがなく、飛行方向を変化させる虞がない。
【０００９】
前記の矢保持装置において、前記支持軸部が前記ハンドル後方において軸心が上下方向をなすように前記本体部に設けられており、前記当接部材は、前記支持軸部に取着されて、先端部が前方の前記レスト上に斜めに延びて揺動可能に支持されているのが好ましい。すなわち、前記当接部材が前方に向かって斜めに延びているために、矢のシューティングの際に、飛び出そうとする矢が滑り易く、飛び出そうとする矢に対する摩擦抵抗が殆ど生じないことになり、これが前記のように第１のバネ手段により瞬時に前記矢との当接位置からハンドル側に離反することと相俟って、矢の飛び出し方向や飛行方向の変化をさらに抑制できることになる。
【００１０】
また、前記の矢保持装置において、前記支持軸部は、前記本体部に上下方向に設けられた軸本体に、外周一部に係止爪を有する係止部材が取付固定されてなり、前記第１のバネ手段が前記係止部材に連結されて設けられ、また、前記トリガー部材は、前記係止部材の係止爪に対し係止可能な爪部を有し、該爪部が前記係止爪に係止することにより、前記第１のバネ手段による付勢力に抗して前記当接部材の先端部を前記矢の側面との当接位置に保持し、かつシューティング時の衝撃により前記係止爪に対する前記爪部の係止を解除するように設けられてなるものとすることができる。
【００１１】
この場合、前記トリガー部材の爪部を前記係止部材の係止爪に係止させることにより、前記第１のバネ手段の付勢力に抗して前記当接部材の先端部を前記レスト上に置かれる矢の側面に当接する位置に保持させることができ、その係止操作が容易になる。また、前記軸本体に対して取付固定する前記係止部材の方向調整により、前記係止爪の位置や前記バネ手段の係合連結の位置を容易に調整でき、前記係止爪と爪部の係止状態の強さやバネの強さを微調整することができる。
【００１２】
前記の矢保持装置において、前記トリガー部材は、前記本体部の上部に回動可能に軸支されるとともに、該軸支部と前記爪部とは反対の端部との間に第２のバネ手段が掛け渡され、該第２のバネ手段の弾性力で前記係止爪に対する係止位置付近に弾力的に保持されるように構成されてなるものとする。これにより、通常時は前記係止爪に対する前記爪部の係止状態を安定性よく保持でき、しかもシューティング時には、その衝撃により、前記係止状態を容易にかつ瞬時に解除できることになる。
【００１３】
また、前記矢保持装置において、前記本体部は、前記ハンドルに対し固定される取付部と、該取付部に対し連結固定される支持部からなり、前記支持部に前記支持軸部と前記トリガー部材とが設けられており、前記支持部が取付部に対し左右方向に位置調整可能に連結固定され、該支持部の位置調整により前記当接部材の先端部のレスト上の矢の側面に対する当接位置を調整できるように設けられてなるものとすることができる。これにより、前記当接部材の先端部の位置を容易に微調整できることになる。
【００１４】
また、前記発明の矢保持装置において、前記本体部に有する支持軸部には、前記本体部に上下方向に貫設された軸本体の下部に、該軸本体に対し回動自在な第１の取付部材と、該軸本体に固定された第２の取付部材とが取着され、前記第１の取付部材に前記当接部材が取付けられて支持されており、該第１の取付部材が前記第２の取付部材に備える調整ネジ手段により該第２の取付部材との相対位置が調整可能に設けられ、前記調整ネジ手段による前記相対位置の調整により、前記当接部材の先端部の前記矢側面に対する当接位置を微調整できるように設けられてなるものが好ましい。これにより、矢の硬さ等の条件に応じて、前記当接部材の矢の側面に対する当接位置を容易に微調整でき、最適な当接位置に保持して使用できる。
【００１５】
前記調整ネジ手段が、前記第１の取付部材に付設された受板部に対し弾力的に当接して前記当接部材が前記矢の側面から離反する方向の前記第１の取付部材の回動を規制するクッションプランジャーよりなるものが好ましい。これにより、矢の側面が当接部材に対し弾力的に接触できて、当接部材の先端部の位置調整が容易であるとともに、該当接部材を弾力的にハンドル側に容易に逃すことができ、シューティング時の当接部材による抵抗を低減できる。
【発明の効果】
【００１６】
上記したように本発明のアーチェリーの矢保持装置によれば、レストにより支承される矢の左右方向の位置決めを確実になすことができ、しかも、矢のシューティング時には、瞬時に、飛び出していく矢に対して矢の後部や矢羽根の接触による影響を与えない状態にでき、飛行方向を変化させることがなく、矢の直進性を良好に保持でき、ひいては矢の的中率を高めることができる。
【発明を実施するための最良の形態】
【００１７】
次に本発明の実施の形態を図面に示す実施例に基づいて説明する。
【００１８】
図１〜図５は本発明の矢保持装置の第１の実施例を示しており、図１は同実施例のハンドルに取り付けた状態の一部の側面図、図２は同上の後方からの正面図、図３はハンドルへの取付位置で一部を断面した平面図、図４は図２のＶ−Ｖ線の断面図である。図５はトリガー部材の爪部の係止が外れた状態の図３と同個所でのハンドルを断面した平面図である。
【００１９】
アーチェリーＡの基本構成は、図１０に示す従来構造と同様であり、ハンドル１と、その上下に連接されるリム２、３と、上下のリム２、３間に掛け渡されるストリング４とからなり、前記ハンドル１の中央部においてグリップ部５の上方位置に設定される矢保持部には、矢ａを受ける矢台として例えばフリッパー式のレスト６が設けられている。前記レスト６は、従来と同様に、そのレストアーム６ａの取付基部６ｂに備えるバネ手段（図示せず）により、シューティング時に矢ａの移動部分から容易に逃がせるように設けられている。
【００２０】
そして、前記レスト６上の矢ａの側面に当接することで、該レスト６上の矢ａの左右方向の位置を調整して位置決めをするための本発明の矢保持装置１０は、この第１の実施例の場合、次のような構成よりなる。
【００２１】
図において、符号１１は前記ハンドル１の主として後部側に固定される本体部であり、図の場合、従来のクッションプランジャーの取付部と同個所のねじ部７に対し矢ａをセットし保持する側とは反対側にボルト１２により締結固定されている。必要に応じて、回り止め手段（図示せず）を設けて、前記本体部１１を一定の水平姿勢で安定性よく取付固定できるようにする。図の本体部１１は、前記ハンドル１に取付固定される取付部１１ａと該取付部１１ａに対しボルト等のねじ部材１３により連結固定される支持部１１ｂとからなる。前記支持部１１ｂは後述するように前記取付部１１ａに対し左右に位置調整可能に連結固定される。
【００２２】
符号１４は前記ハンドル１の後方位置で前記本体部１１の前記支持部１１ｂに対し軸心が上下方向をなすように設けられた支持軸部である。この支持軸部１４は、前記支持部１１ｂに上下方向に貫設された回転可能な軸本体１４ａと、該軸本体１４ａにおける前記本体部１１より下方に臨出した下端部に固定ねじ１５ａにより固定された取付部材１５と、該軸本体１４ａの前記本体部１１より上方に臨出する上端部に固定用のねじ１９により固定された環状の係止部材１８とからなる。
【００２３】
この第１の実施例の場合、前記支持軸部１４における軸本体１４ａの下端部に固定された前記取付部材１５には、板バネその他の板状の当接部材１６がビス等の固定部材１７により固定されて取着されている。この当接部材１６は、前記取付部材１５からくの字状に屈曲して前方の前記レスト６上に斜めに延び、特には先端部１６ａが該レスト６により支承された矢ａの側面に当接する位置まで延びて僅かにハンドル側に屈曲している。そして、この当接部材１６は、後述するように、前記支持軸部１４の回転により前記先端部１６ａが前記矢ａの側面に当接する位置とハンドル１側に離反した位置との間で揺動可能に支持されている。
【００２４】
前記当接部材１６は、主として１枚もしくは複数枚を重ねたバネ鋼やステンレス等の適度の弾性を有する板バネからなるものが、前記板状の当接部材が飛び出そうとする矢に対し、矢の振動等を吸収する弾力的な支えの役目を果たすことから好ましく、前記支持軸部１４に対し取付部材１５を介して複数毎が重ねて取り付けられている。前記板バネの枚数や厚み等により、前記当接部材１６としての最適な弾性力を有するように容易に調整できる。前記板状の当接部材としては、前記以外の弾性を有する金属などの板状体を用いることも、また殆ど或いは全く弾性を有さない金属板等の板材を用いることもできる。なお、前記先端部１６ａの矢ａとの当接側の表面には、飛び出していく矢ａの摩擦を低減し且つ摩耗を防止するために、例えば低摩擦で摺動性に優れかつ耐摩耗性に優れる超高分子量ポリエチレンその他のプラスチック製のシート（図示せず）を貼着しておくのが望ましい。
【００２５】
前記支持軸部１４の上端部に固定された前記係止部材１８の一部と前記本体部１１の一部との間に、前記支持軸部１４に対して前記当接部材１６の先端部１６ａが前記矢ａの側面との当接位置から前記ハンドル１側へ離反する方向に付勢する第１のバネ手段２０が設けられている。図の場合、針金状の第１のバネ手段２０の一端部が、前記係止部材１８に有する孔に挿入されてねじ部材１８ａに固定されることにより連結されるとともに、他端部が前記本体部１１上面の突起部２１に係合する位置まで延設されており、前記係止部材１８の回動によって前記第１のバネ手段２０が前記凸起部２１に係合することにより、前記矢ａとの当接位置から離反する方向に付勢され（図３の状態）、かつ前記当接部材１６がハンドル１の側面に沿う離反状態においては、前記第１のバネ手段２０が前記凸起部２１から離脱した状態（図５の状態）になるように設定されている。
【００２６】
さらに、前記係止部材１８の外周部には、その一部に前記矢ａとの当接位置から離反する回動方向に対して係止し得る係止爪２２が形成されている。そして、前記係止部材１８の係止爪２２に対し係止可能な爪部２３を有し、該爪部２３が前記係止爪２２に係止することにより前記係止部材１８を前記第１のバネ手段２０による付勢力に抗して前記当接部材１６の先端部１６ａを前記矢ａの側面との当接位置に保持するトリガー部材２４が設けられている。
【００２７】
前記トリガー部材２４は、前記本体部１１の上部に前記支持軸部１４の軸心と平行な軸支部２５により回動可能に軸支されるとともに、該軸支部２５と前記爪部２３とは反対側の端部２４ａとの間にスプリング等の第２のバネ手段２６が掛け渡されて、該第１のバネ手段２６の弾性力により前記爪部２３が前記係止爪２２に対する係止位置付近、好ましくは係止位置から離れた位置に弾力的に保持されるように設定されており、これにより、衝撃や振動を加えない限りは前記爪部２３が前記係止爪２２に対して係止した状態に保持されるとともに、矢をつがえて引きしぼられた状態（ドロー状態）からのシューティング時には、前記リム２，３やストリング４等が元の状態に復帰する時の衝撃や振動により、瞬時に前記の係止状態を解除できるように構成されている。この係止状態の解除により、前記第１のバネ手段２０の付勢力で前記当接部材１６が前記矢ａとの当接位置から離反するようになっている。
【００２８】
なお、前記支持軸部１４における前記係止部材１８は必ず必要なものではなく、該係止部材１８を省略して、前記軸本体１４ａの外周一部に前記係止爪を設けたり、また前記当接部材１６の取付部材１５を係止部材との兼用に構成して、該取付部材１５の外周に前記係止爪を設けておき、これに前記トリガー部材２４の爪部２３を係止させるように構成して実施することも可能である。実施上は、上記のように係止部材１８を軸本体１４ａに取付固定しておくのが、組み立ての容易性やバネの強さ等の調整の容易性の点からは好ましい。
【００２９】
例えば、前記トリガー部材２４の爪部２３が前記係止爪２２に係止した状態における前記第１のバネ手段２０の付勢力の強さは、前記軸本体１４ａに対する前記係止部材１８の取付方向を変更することにより容易に調整できる。また、前記当接部材１６の先端部１６ａの位置は、前記軸本体１４ａに対する前記取付部材１５の取付方向を変更することにより調整できることになる。
【００３０】
さらに、第１の実施例の場合、前記本体部１１の前記支持部１１ｂが、前記取付部１１ａに対し左右方向（ハンドル１の厚み方向）に位置調整可能に連結固定されている。その手段として、前記取付部１１ａと前記支持部１１ｂの接合面には、前記左右方向の摺動を許容する凹凸が設けられるとともに、前記支持部１１ｂに有する取付用孔１１ｃが前記ねじ部材１３よりやや径大に形成されており、前記支持部１１ｂが前記ねじ部材１３に対する取付用孔１１ｃの径差の範囲で左右方向に位置調整できるようになっており、これにより、前記当接部材１６の先端部１６ａの位置を微調整できるようになっている。２７ａ，２７ｂは前記の調整位置に固定する止めねじであり、前記微調整はこの止めねじ２７ａ，２７ｂを緩めて行われる。
【００３１】
上記した第１の実施例の矢保持装置１０によれば、矢をつがえる前に、前記トリガー部材２４の爪部２３を前記支持軸部１４の軸本体１４ａに固定された係止部材１８の係止爪２２に係止させて、前記第１のバネ手段２０の付勢力に抗して前記当接部材１６の先端部１６ａを前記レスト６上に置かれる矢ａの側面に当接する位置に保持させておく。こうして、前記レスト６上の矢ａの側面を前記当接部材１６の先端部１６ａに当接させることにより、該矢ａの左右方向の位置決めをすることができる。
【００３２】
そして、前記のようにしてドローした状態からの前記矢ａのシューティング時には、板バネ等の板状の前記当接部材１６が前方に向かって斜めに延びていることもあって、飛び出そうとする矢ａに対する抵抗とはならずに、矢ａの振動を吸収する弾力的な支えの役目を果たすと共に、引き絞られた上下のリム２，３やストリング４が元の状態に復帰するのと同時に、その衝撃や振動により、前記トリガー部材２４の爪部２３が前記係止部材１８の係止爪２２から外れ、前記第１のバネ手段２０の付勢力により、瞬時に、前記係止部材１８とともに前記軸本体１４ａが回動して、前記当接部材１６が前記矢ａの側面に当接する位置からハンドル１側に離反する。そのため、従来のクッションプランジャーによる矢の保持構造とは異なり、矢ａの後部や矢羽根ｂの部分が前記当接部材１６に対しバネ手段の付勢力に抗して押圧するようには接触する虞がなく、またそのため、矢ａの飛び出しに対して不要な抵抗を与えることがなく、矢ａの飛行方向を変化させる虞がないものとなる。すなわち、図１２の従来のクッションプランジャー方式のアーチェリーに比べて、矢ａの直進性を良好に保持でき、ひいては矢ａの的中率を高めることができることになる。
【００３３】
図６〜図１０は、本発明の矢保持装置１０の第２の実施例を示しており、図６は同実施例のハンドルに取り付けた状態の一部の側面図、図７は同上の一部を断面した平面図、図８は同上の一部を縦断した後方からの正面図、図９は前図のＩＸ−ＩＸ線のトリガー部材の爪部の係止が外れた状態の断面図、図１０は前図のＸ−Ｘ線の断面図である。
【００３４】
この第２の実施例において、矢保持装置１０の基本的な構成は上記第１の実施例と共通しており、第１の実施例と同じ構成部分及び同じ働きをなす構成部材については、同じ参照符号を付して、その詳しい説明を省略する。
【００３５】
例えば、この第２の実施例においても、本体部１１は、取付部１１ａと、該取付部１１ａに対し左右に位置調整可能にねじ部材１３により連結固定される支持部１１ｂとからなり、ハンドル１に対して第１の実施例の場合と同様に取付られている。また、前記本体部１１に設けられた支持軸部１４としては、軸本体１４ａが前記本体部１１の支持部１１ｂに上下方向に貫設されて回動可能に支持されている。図の場合、前記軸本体１４ａは、上下二つのブッシュ１４ｂ及びパイプ１４ｃを介して前記支持部１１ｂに回動可能に支持されている。
【００３６】
前記本体部１１より上方に突出した前記軸本体１４ａの上端部には、上記した第１の実施例と同様に、トリガー部材１６の爪部２３が係止する係止爪２２を有する係止部材１８がねじ１９により固定されている。図の場合、前記係止部材１８が平面多角形をなすとともに、その一部が後方に突出して、該突出部１８ｂの先端に前記係止爪２２が形成されている。この場合、軸本体１４ａの軸心から係止爪２２までの距離、つまり係止爪２２の回転半径を大きく設定することが可能になる。この係止部材１８の係止爪２２に対し係止自在な爪部２３を有する前記トリガー部材１６と、これを回動可能に支持する軸支部２５、前記係止部材１８に連結された第１のバネ手段２０、凸起部２１、トリガー部材２４に備える第２のバネ手段２６等の構成態様及びその働きは第１の実施例の場合と同じである。
【００３７】
そして、この第２の実施例の場合、前記本体部１１より下方に突出する軸本体１４ａの下部には、第１の実施例の取付部材１５とは異なり、該軸本体１４ａに対しブッシュ２９を介して回動自在な第１の取付部材３１と、該軸本体１４ａに固定された第２の取付部材３２とが上下に分離して取着されており、前記第１の取付部材３１には、上記同様の板状の当接部材１６がビス等の固定部材１７により固定されて揺動可能に支持され、前方の前記レスト６上の矢ａの側面と当接できる位置まで延びている。
【００３８】
前記第１の取付部材３１は、前記第２の取付部材３２に備えるクッションプランジャ等の調整ねじ手段３３により、該第２の取付部材３２に対する相対位置が調整可能に設けられている。図示する実施例の場合は、前記調整ねじ手段３３として、先端部３３ａが内部に備えるスプリング３４により弾力的に出没可能に支持されている所謂クッションプランジャーが使用されており、該クッションプランジャーつまり調整ねじ手段３３が前記第２の取付部材３２に前後方向に螺合貫設され、前記先端部３３ａに対して前記第１の取付部材３１の一部、例えば図のように前面側に付設されて垂下した受板部３５が弾力的に当接することにより、該第１の取付部材３１の前記離反方向の回動を規制するように設けられている。これにより、前記調整ねじ手段３３の前記第２の取付部材３２に対する螺合位置を調整して、前記先端部３３ａの突出位置を調整することにより、前記第２の取付部材３２に対する第１の取付部材３１の相対位置を調整でき、該第１の取付部材３１に取着した前記当接部材１６の先端部１６ａの矢側面に対する当接位置を微調整できるようになっている。この場合、前記本体部１１における前記支持部１１ｂの前記取付部１１ａに対する位置調整は、矢保持装置１０の最初の取付時のみでよく、以後の微調整は前記調整ねじ手段３３により行えることになる。また、前記本体部１１の前記取付部１１ａに対する支持部１１ｂの位置調整が不要になるため、該本体部１１の前記取付部１１ａと支持部１１ｂを一体に形成しておくことも可能になる。図中の３６は前記クッションプランジャーよりなる調整ねじ手段３３の内部のスプリング３４を受けるねじであり、該ねじ３６により前記スプリング３４の強さを調整できるようになっている。３７は前記調整ねじ手段３３を所定の螺合位置に固定するためのロックナットである。
【００３９】
図中の符号３８は前記第２の取付部材３２に取着された第３のバネ手段であり、該第３のバネ手段３８により前記受板部３５を弾力的に押さえることにより、前記第１の取付部材３１は、前記受板部３５が前記調整ねじ手段３３の先端部３３ａに常に当接した状態を保持するように設けられており、前記当接部材１６の先端部１６ａを矢ａの側面との当接位置に安定性よく保持できるようにしている。
【００４０】
この第２の実施例においても、前記トリガー部材１６の爪部２３が第１のバネ手段２０の付勢力に抗して前記係止部材１８の係止爪２２に係止した状態において、前記当接部材１６の先端部１６ａを前記矢ａの側面との当接位置に保持するとともに、矢をつがえて引きしぼられた状態（ドロー状態）からのシューティング時には、アーチェリーＡのリム２，３やストリング４等が元の状態に復帰する時の衝撃や振動により、瞬時に前記の係止状態を解除できるように構成され、この係止状態の解除により、前記第１のバネ手段２０の付勢力で軸本体１４ａが回動して前記当接部材１６が前記矢ａとの当接位置から離反するように構成される。
【００４１】
この第２の実施例の矢保持装置１０によれば、矢をつがえる前に、前記トリガー部材２４の爪部２３を前記支持軸部１４の軸本体１４ａに固定された係止部材１８の係止爪２２に係止させて、前記第１のバネ手段２０の付勢力に抗して前記当接部材１６の先端部１６ａを前記レスト６上に置かれる矢ａの側面に当接する位置に保持させておく。こうして、前記レスト６上の矢ａの側面を前記当接部材１６の先端部１６ａに当接させることにより、該矢ａの左右方向の位置決めをすることができる。
【００４２】
このとき、矢ａの左右の微調整、すなわち前記当接部材１６の先端部１６ａの位置を微調整する場合は、クッションプランジャ等の前記調整ねじ手段３３のロックナット３７を緩めて螺合位置を調整し、前記当接部材１６を支持する前記第１取付部材３１の前記第２取付部材３２に対する相対位置を微調整すればよく、これにより矢ａの硬さなどの条件に応じて、前記当接部材１６の先端部１６ａの位置を容易に微調整できる。
【００４３】
そして、前記のようにしてドローした状態からの前記矢ａのシューティング時には、板状の前記当接部材１６が前方に向かって斜めに延びていることもあって、飛び出そうとする矢ａに対する抵抗とはならない上、調整ねじ手段３３がクッションプランジャ等の場合は前記先端部３３ａが第１の取付部材３１を弾力的に受支して、前記当節部材１６の先端部１６が弾力的に退入可能であるため、飛び出そうとする矢ａに対する抵抗を生じさせずに、矢ａの振動を吸収する弾力的な支えの役目を果たす。そして、引き絞られた上下のリム２，３やストリング４が元の状態に復帰するのと同時に、その衝撃や振動により、前記トリガー部材２４の爪部２３が前記係止部材１８の係止爪２２から外れ、前記当接部材１６が前記第１のバネ手段２０の付勢力により、瞬時に、前記係止部材１８とともに前記軸本体１４ａが回動して、前記当接部材１６が前記矢ａの側面に当接する位置からハンドル１側に離反する。そのため、従来のクッションプランジャーによる矢の保持構造とは異なり、矢ａの後部や矢羽根ｂの部分が前記当接部材１６に対しバネ手段の付勢力に抗して押圧するようには接触する虞がなく、またそのため、矢ａの飛び出しに対して不要な抵抗を与えることがなく、矢ａの飛行方向を変化させる虞がないものとなる。
【００４４】
すなわち、従来のクッションプランジャーを用いるアーチェリーに比べて、矢ａの直進性を良好に保持でき、ひいては矢ａの的中率を高めることができる。
【００４５】
なお、上記第１及び第２の実施例において、各構成部材については、合成樹脂材のほか、アルミニウム等の軽量な材料により構成するのが、軽量化を図る上で好ましい。
【産業上の利用可能性】
【００４６】
本発明は、アーチェリー、特に競技用のアーチェリーに好適に利用でき、特にはクッションプランジャーの取付部を有する既存のアーチェリーにも利用できる。
【図面の簡単な説明】
【００４７】
【図１】本発明の矢保持装置をハンドルに取り付けた状態の一部の側面図である。
【図２】同上の後方からの正面図である。
【図３】ハンドルへの取付位置で一部を断面した平面図である。
【図４】図２のＶ−Ｖ線の断面図である。
【図５】トリガー部材の爪部の係止が外れた状態の図３と同個所のハンドルを断面した状態の平面図である。
【図６】同実施例のハンドルに取り付けた状態の一部の側面図である。
【図７】同上の一部を断面した平面図である。
【図８】同上の一部を縦断した後方からの正面図である。
【図９】前図のＩＸ−ＩＸ線のトリガー部材の爪部の係止が外れた状態の断面図である。
【図１０】前図のＸ−Ｘ線の断面図である。
【図１１】アーチェリー全体の略示側面図である。
【図１２】従来のクッションプランジャー部分のハンドルを断面した平面図である。
【符号の説明】
【００４８】
Ａ…アーチェリー、ａ…矢、ｂ…矢羽根、１…ハンドル、２，３…リム、４…ストリング、５…グリップ部、６…レスト、６ａ…レストアーム、６ｂ…基部、１０…矢保持装置、１１…本体部、１１ａ…取付部、１１ｂ…支持部、１３…ねじ部材、１４…支持軸部、１４ａ…軸本体、１５…取付部材、１５ａ…固定ねじ、１６…当接部材、１６ａ…先端部、１７…固定部材、１８…係止部材、１８ａ…ねじ部材、１９…ねじ、２０…第１のバネ手段、２１…突起部、２２…係止爪、２３…爪部、２４…トリガー部材、２５…軸支部、２６…第２のバネ手段 ２７ａ，２７ｂ…止めねじ、２９…ブッシュ、３１…第１の取付部材、３２…第２の取付部材、３３…調整ねじ手段、３３ａ…先端部、３４…スプリング、３５…受板部、３６…ねじ、３７…ロックナット、３８…第３のバネ手段。
【図１】
2008020178.tif 000003
【図２】
2008020178.tif 000004
【図３】
2008020178.tif 000005
【図４】
2008020178.tif 000006
【図５】
2008020178.tif 000007
【図６】
2008020178.tif 000008
【図７】
2008020178.tif 000009
【図８】
2008020178.tif 000010
【図９】
2008020178.tif 000011
【図１０】
2008020178.tif 000012
【図１１】
2008020178.tif 000013
【図１２】
2008020178.tif 000014